(57)【要約】【課題】リモートコントロール制御する被制御機器を状況に応じて任意に選択することができる携帯情報端末装置を提供することを目的とする。【解決手段】リモートコントロール制御命令データメモリ部１と、複数のリモートコントロール制御命令データのうち選択したデータをリモートコントロール赤外線信号に変換して出力する制御部２と、操作部３と、メモリ部１に記憶したリモートコントロール制御命令データを表示する表示部４と、装置動作用情報を格納したメモリ部５と、外部インタフェース部６と、リモートコントロール赤外線信号に基づいて発光して被制御機器の制御を行う赤外線通信部７とを有し、制御部は、予め複数のリモートコントロール制御命令データをメモリ部１に記憶させ、記憶されたデータを表示部に表示させ、変換して得られたリモートコントロール赤外線信号を赤外線通信部７に出力して発光させる。【選択図】　図１
2004032240.tif 000002
【特許請求の範囲】
【請求項１】
リモートコントロールされる複数の被制御機器に対する複数のリモートコントロール制御命令データを記憶するリモートコントロール制御命令データメモリ部と、全体制御や外部機器の制御を行うと共に前記リモートコントロール制御命令データメモリ部において予め記憶された前記複数の被制御機器に対する複数のリモートコントロール制御命令データのうち選択したリモートコントロール制御命令データをリモートコントロール赤外線信号に変換して出力する制御部と、データ入力のための操作を行う操作部と、携帯情報端末装置の状態や情報を表示すると共に前記リモートコントロール制御命令データメモリ部に記憶したリモートコントロール制御命令データを表示する表示部と、携帯情報端末装置の動作に必要な装置動作用情報を格納したメモリ部と、回線や外部機器との接続を行う外部インタフェース部と、前記制御部より出力されたリモートコントロール赤外線信号に基づいて発光して前記被制御機器の制御を行う赤外線通信部とを有し、
前記制御部は、予め前記複数の被制御機器に対する複数のリモートコントロール制御命令データを前記リモートコントロール制御命令データメモリ部に記憶させ、前記記憶されたリモートコントロール制御命令データを前記表示部に表示させ、前記変換して得られたリモートコントロール赤外線信号を赤外線通信部に出力して発光させることを特徴とする携帯情報端末装置。
【請求項２】
前記操作部と前記表示部とに代えて、前記操作部の機能と前記表示部の機能とを有するタッチパネル部を備えたことを特徴とする請求項１に記載の携帯情報端末装置。
【請求項３】
前記外部インタフェース部に接続された外部メモリ部を備え、前記制御部は、予め記憶する前記被制御機器に対するリモートコントロール制御命令データを前記外部メモリ部から読み込むことを特徴とする請求項１または２に記載の携帯情報端末装置。
【請求項４】
外部機器と通信を行うための回線部を前記外部インタフェース部に有するか、または前記外部機器と通信を行うための通信制御部を前記外部インタフェース部に接続し、前記制御部は、前記被制御機器に対するリモートコントロール制御命令データを、公衆回線やインターネットおよび前記回線部または前記通信制御部を介して、前記外部機器から読み込むことを特徴とする請求項１または２に記載の携帯情報端末装置。
【請求項５】
前記制御部は、複数の選択された前記被制御機器に対するリモートコントロール制御命令データを一時的に前記リモートコントロール制御命令データメモリ部または前記メモリ部に格納し、前記複数の選択されたリモートコントロール制御命令を一定時間間隔で順次実行することを特徴とする請求項１または２に記載の携帯情報端末装置。
【請求項６】
前記赤外線通信部は送信機能と受信機能とを有し、前記制御部は、前記被制御機器に付属するリモートコントロール装置からのリモートコントロール赤外線信号を前記赤外線通信部において受信し、前記受信したリモートコントロール赤外線信号に基づくリモートコントロール制御命令データを前記リモートコントロール制御命令データメモリ部に記憶することを特徴とする請求項１に記載の携帯情報端末装置。
【請求項７】
前記操作部と前記表示部とに代えて、前記操作部の機能と前記表示部の機能とを有するタッチパネル部を備えたことを特徴とする請求項６に記載の携帯情報端末装置。
【請求項８】
前記制御部は、複数の選択された前記被制御機器に対するリモートコントロール制御命令データを一時的に前記リモートコントロール制御命令データメモリ部または前記メモリ部に格納し、前記複数の選択されたリモートコントロール制御命令を一定時間間隔で順次実行することを特徴とする請求項６または７に記載の携帯情報端末装置。
【請求項９】
任意設定が可能な任意設定操作部と、前記任意設定操作部からの入力データに基づいて動作するリモートコントロール制御部とを備え、前記リモートコントロール制御部は、携帯情報端末装置の稼動状況にかかわらず、前記任意設定操作部によって選択された前記被制御機器に対するリモートコントロール制御命令データを前記赤外線通信部を介して送信することを特徴とする請求項１に記載の携帯情報端末装置。
【請求項１０】
前記外部インタフェース部に接続された外部メモリ部を備え、前記制御部は、予め記憶する前記被制御機器に対するリモートコントロール制御命令データを前記外部メモリ部より読み込むことを特徴とする請求項９に記載の携帯情報端末装置。
【請求項１１】
外部機器と通信を行うための回線部を前記外部インタフェース部に有するか、または前記外部機器と通信を行うための通信制御部を前記外部インタフェース部に接続し、前記制御部は、前記被制御機器に対するリモートコントロール制御命令データを、公衆回線やインターネットおよび前記回線部または前記通信制御部を介して、前記外部機器から読み込むことを特徴とする請求項９に記載の携帯情報端末装置。
【請求項１２】
前記制御部は、複数の選択された前記被制御機器に対するリモートコントロール制御命令データを一時的に前記リモートコントロール制御命令データメモリ部または前記メモリ部に格納し、前記複数の選択されたリモートコントロール制御命令を一定時間間隔で順次実行することを特徴とする請求項９に記載の携帯情報端末装置。
【請求項１３】
前記リモートコントロール制御部は、携帯情報端末装置の稼動状況にかかわらず、前記任意設定操作部によって選択された前記被制御機器に対するリモートコントロール制御命令データを前記赤外線通信部を介して送信すると共に前記リモートコントロール装置からのリモートコントロール赤外線信号を前記赤外線通信部を介して受信することを特徴とする請求項９に記載の携帯情報端末装置。
【請求項１４】
前記リモートコントロール制御部は、複数の選択された前記被制御機器に対するリモートコントロール制御命令データを一時的に前記リモートコントロール制御命令データメモリ部または前記メモリ部に格納し、前記複数の選択されたリモートコントロール制御命令を一定時間間隔で順次実行することを特徴とする請求項１３に記載の携帯情報端末装置。
【発明の詳細な説明】
【０００１】
【発明の属する技術分野】
本発明は、外部の被制御機器をリモートコントロールする携帯情報端末装置に関するものである。
【０００２】
【従来の技術】
図６は、従来の携帯情報端末装置を示すブロック図である。
【０００３】
図６において、２は携帯情報端末装置の全体制御や外部機器の制御を行う制御部、３はデータ入力のための操作を行う操作部、４は文字や図形を表示する表示部、５は携帯情報端末装置の動作に必要な情報や被制御機器をリモートコントロールする制御命令（リモートコントロール制御命令）を格納するメモリ部、６は回線や外部機器との接続を行う外部インタフェース部（外部Ｉ／Ｆ部）、７は制御部２より出力されたリモートコントロール制御命令データをリモートコントロール赤外線信号に変換して発光する赤外線通信部である。なお、図６では、赤外線通信部７は携帯情報端末装置に内蔵しているが、外部インタフェース部６に拡張して接続してもよい。
【０００４】
外部の被制御機器に対するリモートコントロール制御を行う利用者は、メモリ部５に格納された被制御機器のリモートコントロール制御命令データを表示部４で認識し、操作部３にて被制御機器のリモートコントロール制御命令データを選択する。制御部２は、操作部３で選択された被制御機器のリモートコントロール制御命令データをメモリ部５より読み出し、リモートコントロール赤外線信号に変換して赤外線通信部７から発光する。被制御機器は、赤外線通信部７より発光されたリモートコントロール赤外線信号により制御される。
【０００５】
【発明が解決しようとする課題】
しかしながら、上記従来の携帯情報端末装置では、被制御機器に対するリモートコントロール制御命令は予め記憶されたメモリ部５に依存してしまうので、被制御機器が複数台ある場合には、利用者が利用環境に応じて被制御機器を任意に選択することが困難であるという問題点を有していた。
【０００６】
この携帯情報端末装置では、リモートコントロール制御する被制御機器を状況に応じて任意に選択できることが要求されている。
【０００７】
本発明は、この要求を満たすため、リモートコントロール制御する被制御機器を状況に応じて任意に選択することができる携帯情報端末装置を提供することを目的とする。
【０００８】
【課題を解決するための手段】
上記課題を解決するために本発明の携帯情報端末装置は、リモートコントロールされる複数の被制御機器に対する複数のリモートコントロール制御命令データを記憶するリモートコントロール制御命令データメモリ部と、全体制御や外部機器の制御を行うと共にリモートコントロール制御命令データメモリ部において予め記憶された複数の被制御機器に対する複数のリモートコントロール制御命令データのうち選択したリモートコントロール制御命令データをリモートコントロール赤外線信号に変換して出力する制御部と、データ入力のための操作を行う操作部と、携帯情報端末装置の状態や情報を表示すると共にリモートコントロール制御命令データメモリ部に記憶したリモートコントロール制御命令データを表示する表示部と、携帯情報端末装置の動作に必要な装置動作用情報を格納したメモリ部と、回線や外部機器との接続を行う外部インタフェース部と、制御部より出力されたリモートコントロール赤外線信号に基づいて発光して被制御機器の制御を行う赤外線通信部とを有し、制御部は、予め複数の被制御機器に対する複数のリモートコントロール制御命令データをリモートコントロール制御命令データメモリ部に記憶させ、記憶されたリモートコントロール制御命令データを表示部に表示させ、変換して得られたリモートコントロール赤外線信号を赤外線通信部に出力して発光させる構成を備えている。
【０００９】
これにより、リモートコントロール制御する被制御機器を状況に応じて任意に選択することができる携帯情報端末装置。
【００１０】
【発明の実施の形態】
本発明の請求項１に記載の携帯情報端末装置は、リモートコントロールされる複数の被制御機器に対する複数のリモートコントロール制御命令データを記憶するリモートコントロール制御命令データメモリ部と、全体制御や外部機器の制御を行うと共にリモートコントロール制御命令データメモリ部において予め記憶された複数の被制御機器に対する複数のリモートコントロール制御命令データのうち選択したリモートコントロール制御命令データをリモートコントロール赤外線信号に変換して出力する制御部と、データ入力のための操作を行う操作部と、携帯情報端末装置の状態や情報を表示すると共にリモートコントロール制御命令データメモリ部に記憶したリモートコントロール制御命令データを表示する表示部と、携帯情報端末装置の動作に必要な装置動作用情報を格納したメモリ部と、回線や外部機器との接続を行う外部インタフェース部と、制御部より出力されたリモートコントロール赤外線信号に基づいて発光して被制御機器の制御を行う赤外線通信部とを有し、制御部は、予め複数の被制御機器に対する複数のリモートコントロール制御命令データをリモートコントロール制御命令データメモリ部に記憶させ、記憶されたリモートコントロール制御命令データを表示部に表示させ、変換して得られたリモートコントロール赤外線信号を赤外線通信部に出力して発光させることとしたものである。
【００１１】
この構成により、リモートコントロール制御命令データメモリ部において予め記憶された複数の被制御機器に対する複数のリモートコントロール制御命令のうち選択したリモートコントロール制御命令に基づいて任意に選択した被制御機器を制御することができるという作用を有する。
【００１２】
請求項２に記載の携帯情報端末装置は、請求項１に記載の携帯情報端末装置において、操作部と表示部とに代えて、操作部の機能と表示部の機能とを有するタッチパネル部を備えることとしたものである。
【００１３】
この構成により、操作部の機能と表示部の機能とが一体化されているので、被制御機器のリモートコントロール制御命令の表示および被制御機器の制御操作を容易に行うことができるという作用を有する。
【００１４】
請求項３に記載の携帯情報端末装置は、請求項１または２に記載の携帯情報端末装置において、外部インタフェース部に接続された外部メモリ部を備え、制御部は、予め記憶する被制御機器に対するリモートコントロール制御命令データを外部メモリ部から読み込むこととしたものである。
【００１５】
この構成により、複数の被制御機器に対する複数のリモートコントロール制御命令データを外部メモリ部に容易に予め記憶することができるという作用を有する。
【００１６】
請求項４に記載の携帯情報端末装置は、請求項１または２に記載の携帯情報端末装置において、外部機器と通信を行うための回線部を外部インタフェース部に有するか、または外部機器と通信を行うための通信制御部を外部インタフェース部に接続し、制御部は、被制御機器に対するリモートコントロール制御命令データを、公衆回線やインターネットおよび回線部または通信制御部を介して、外部機器から読み込むこととしたものである。
【００１７】
この構成により、複数の被制御機器に対する複数のリモートコントロール制御命令データを外部インタフェース部を介して読み込み、リモートコントロール制御命令データメモリ部またはメモリ部に予め記憶することができるという作用を有する。
【００１８】
請求項５に記載の携帯情報端末装置は、請求項１または２に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することとしたものである。
【００１９】
この構成により、複数の選択された被制御機器に対するリモートコントロール制御命令を容易に実行することができるという作用を有する。
【００２０】
請求項６に記載の携帯情報端末装置は、請求項１に記載の携帯情報端末装置において、赤外線通信部は送信機能と受信機能とを有し、制御部は、被制御機器に付属するリモートコントロール装置からのリモートコントロール赤外線信号を赤外線通信部において受信し、受信したリモートコントロール赤外線信号に基づくリモートコントロール制御命令データをリモートコントロール制御命令データメモリ部に記憶することとしたものである。
【００２１】
この構成により、複数の被制御機器に対する複数のリモートコントロール制御命令データをリモートコントロール装置から読み込むことができるので、リモートコントロール制御命令をリモートコントロール装置を用いて容易に記憶させることができるという作用を有する。
【００２２】
請求項７に記載の携帯情報端末装置は、請求項６に記載の携帯情報端末装置において、操作部と表示部とに代えて、操作部の機能と表示部の機能とを有するタッチパネル部を備えることとしたものである。
【００２３】
この構成により、操作部の機能と表示部の機能とが一体化されているので、被制御機器のリモートコントロール制御命令の表示および被制御機器の制御操作を容易に行うことができ、リモートコントロール制御命令データをリモートコントロール装置を用いて記憶させることを更に容易に行うことができるという作用を有する。
【００２４】
請求項８に記載の携帯情報端末装置は、請求項６または７に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することとしたものである。
【００２５】
この構成により、複数の選択された被制御機器に対するリモートコントロール制御命令を容易に実行することができるという作用を有する。
【００２６】
請求項９に記載の携帯情報端末装置は、請求項１に記載の携帯情報端末装置において、任意設定が可能な任意設定操作部と、任意設定操作部からの入力データに基づいて動作するリモートコントロール制御部とを備え、リモートコントロール制御部は、携帯情報端末装置の稼動状況にかかわらず、任意設定操作部によって選択された被制御機器に対するリモートコントロール制御命令データを赤外線通信部を介して送信することとしたものである。
【００２７】
この構成により、携帯情報端末装置自体が未動作状態（電源は入っているが、携帯情報端末装置として動作していない状態）であっても、リモートコントロール制御部は動作しているので、選択された被制御機器のリモートコントロール制御命令を実行することができるという作用を有する。
【００２８】
請求項１０に記載の携帯情報端末装置は、請求項９に記載の携帯情報端末装置において、外部インタフェース部に接続された外部メモリ部を備え、制御部は、予め記憶する被制御機器に対するリモートコントロール制御命令データを外部メモリ部より読み込むこととしたものである。
【００２９】
この構成により、携帯情報端末装置が未動作状態であっても、選択された被制御機器のリモートコントロール制御命令を実行することができ、また、複数の被制御機器に対する複数のリモートコントロール制御命令データを外部メモリ部に予め記憶し、必要に応じて読み出すことができるという作用を有する。
【００３０】
請求項１１に記載の携帯情報端末装置は、請求項９に記載の携帯情報端末装置において、外部機器と通信を行うための回線部を外部インタフェース部に有するか、または外部機器と通信を行うための通信制御部を外部インタフェース部に接続し、制御部は、被制御機器に対するリモートコントロール制御命令データを、公衆回線やインターネットおよび回線部または通信制御部を介して、外部機器から読み込むこととしたものである。
【００３１】
この構成により、複数の被制御機器に対する複数のリモートコントロール制御命令データを外部インタフェース部を介して読み込み、リモートコントロール制御命令データメモリ部またはメモリ部に予め記憶することができるという作用を有する。
【００３２】
請求項１２に記載の携帯情報端末装置は、請求項９に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することとしたものである。
【００３３】
この構成により、複数の選択された被制御機器に対するリモートコントロール制御命令を容易に実行することができるという作用を有する。
【００３４】
請求項１３に記載の携帯情報端末装置は、請求項９に記載の携帯情報端末装置において、リモートコントロール制御部は、携帯情報端末装置の稼動状況にかかわらず、任意設定操作部によって選択された被制御機器に対するリモートコントロール制御命令データを赤外線通信部を介して送信すると共にリモートコントロール装置からのリモートコントロール赤外線信号を赤外線通信部を介して受信することとしたものである。
【００３５】
この構成により、携帯情報端末装置自体が未動作状態であっても、リモートコントロール制御部は動作しているので、選択された被制御機器のリモートコントロール制御命令を実行することができ、また、リモートコントロール装置からのリモートコントロール制御命令を受信して記憶することができるという作用を有する。
【００３６】
請求項１４に記載の携帯情報端末装置は、請求項１３に記載の携帯情報端末装置において、リモートコントロール制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することとしたものである。
【００３７】
この構成により、複数の選択された被制御機器に対するリモートコントロール制御命令を容易に実行することができるという作用を有する。
【００３８】
以下、本発明の実施の形態について、図１〜図５を用いて説明する。
【００３９】
（実施の形態１）
図１は、本発明の実施の形態１による携帯情報端末装置を示すブロック図である。
【００４０】
図１において、１は複数の被制御機器をリモートコントロールする複数のリモートコントロール制御命令データを予め記憶するリモートコントロール制御命令データメモリ部、２は携帯情報端末装置の制御（全体制御）や外部機器の制御、制御命令の出力を行う制御部、３はデータの入力操作を行う操作部、４は携帯情報端末装置の状態や予め記憶された被制御機器のリモートコントロール制御命令、操作部３の操作方法などを表示する表示部、５は携帯情報端末装置の動作に必要な情報（装置動作用情報）を格納したメモリ部、６は回線や外部機器との接続を行う外部インタフェース部、７は制御部２より出力されたリモートコントロール赤外線信号により発光する赤外線通信部である。図１では赤外線通信部７は携帯情報端末装置に内蔵されているが、外部インタフェース部６に拡張して接続されてもよい。被制御機器に対してリモートコントロール制御を行う利用者は、利用者が通常良く使用する複数の被制御機器をリモートコントロールする複数のリモートコントロール制御命令を任意に選択し、リモートコントロール制御命令データメモリ部１に記憶する。この時、表示部４は、予め記憶された複数の被制御機器に対する複数のリモートコントロール制御命令を利用者が認識できるように表示している。例えば被制御機器としてのセットＳ１にはエアコンのＯＮ／ＯＦＦ、セットＳ２にはテレビのＯＮ／ＯＦＦ、セットＳ３にはテレビのボリュームアップなどと表示している。更に表示部４は、例えばエアコンＯＮやテレビＯＮなど、利用者が任意に表示できるようにしておけば、さらに便利で有効性が増す。ここで、操作部３において、表示部４に従い、利用者が予め記憶された複数の被制御機器に対する複数のリモートコントロール制御命令のうち選択した被制御機器のリモートコントロール制御命令を操作により実行すると、制御部２は、リモートコントロール制御命令データメモリ部１において予め記憶された被制御機器に対するリモートコントロール制御命令データをリモートコントロール赤外線信号として赤外線通信部７へ出力する。被制御機器は、赤外線通信部７より発光された赤外線信号により制御される。
【００４１】
ここで、操作部３と表示部４に代えて、操作部３の機能と表示部４の機能の両機能を有するタッチパネル部を備えると、被制御機器のリモートコントロール制御命令を表示する機能と操作する機能とが統一され、被制御機器のリモートコントロール制御命令の表示および操作が容易となり、容易に被制御機器のリモートコントロール制御命令の表示および操作を行うことができる携帯情報端末装置を実現することができる。
【００４２】
以上のように本実施の形態によれば、利用者固有の携帯情報端末装置から予め任意に記憶された複数の被制御機器に対する複数のリモートコントロール制御命令のうち、選択された被制御機器に対するリモートコントロール制御命令を実行することができる携帯情報端末装置を実現することができる。また、操作部３と表示部４に代えてタッチパネル部を備えると、容易に被制御機器のリモートコントロール制御命令の表示および操作を行うことができる携帯情報端末装置を実現することができる。
【００４３】
（実施の形態２）
図２は、本発明の実施の形態２による携帯情報端末装置を示すブロック図である。
【００４４】
図２に示す構成においては、図１の構成に対して、外部インタフェース部６に接続され被制御機器のリモートコントロール制御命令データを記憶している外部メモリ部８が追加されている。
【００４５】
被制御機器のリモートコントロール制御命令は、被制御機器の種類や製造社によって固有であることが多く、利用者が任意に被制御機器のリモートコントロール制御命令を入手することが困難である場合が予想される。この時利用者に必要な被制御機器のリモートコントロール制御命令データを記憶した外部メモリ部８を用いることによって、利用者は、携帯情報端末装置に任意に、被制御機器のリモートコントロール制御命令を記憶することができる。
【００４６】
以上のように本実施の形態によれば、利用者固有の携帯情報端末装置において、予め記憶する複数の被制御機器の複数のリモートコントロール制御命令データを外部メモリ部８によって容易に記憶することができる携帯情報端末装置を実現することができる。
【００４７】
（実施の形態３）
本発明の実施の形態３による携帯情報端末装置の構成は、図１または図２に示す構成である。
【００４８】
このような構成の携帯情報端末装置において、外部インタフェース部６に設けられた回線部または外部インタフェース部６に拡張して接続された通信制御部を用いることによって、携帯情報端末装置が公衆回線やインターネットを利用できるようにする。これにより、利用者に必要な被制御機器のリモートコントロール制御命令を、公衆回線やインターネットを介して、利用者が携帯情報端末装置に任意に、記憶することができる。
【００４９】
また、利用者が複数の被制御機器のリモートコントロール制御命令を選択して実行する場合、逐次被制御機器の動作を確認しながら被制御機器のリモートコントロール制御命令を選択し実行するのは非効率である。この時、利用者は、表示部４に従い、操作部３、制御部２を介して、メモリ部５またはリモートコントロール制御命令データメモリ部１に複数の被制御機器のリモートコントロール制御命令データを予め記憶する。このような携帯情報端末装置において記憶した複数のリモートコントロール制御命令を実行すると、被制御機器は、赤外線通信部７より発光されるリモートコントロール赤外線信号を認識できる程度の時間間隔で順次、予め記憶した複数のリモートコントロール制御命令を実行することができる。
【００５０】
以上のように本実施の形態によれば、予め記憶する複数の被制御機器の複数の制御命令を外部インタフェース部によって容易に記憶できる携帯情報端末装置を実現することができる。また、赤外線通信部７から、リモートコントロール赤外線信号ａを認識できる程度の時間間隔で順次発光することにより、複数の選択された被制御機器のリモートコントロール制御命令を更に容易に実行できる携帯情報端末装置を実現することができる。
【００５１】
（実施の形態４）
図３は、本発明の実施の形態４による携帯情報端末装置を示すブロック図である。
【００５２】
図３に示す構成においては、図１の構成に対して、リモートコントロール制御される被制御機器９と、被制御機器９に付属される被制御機器９のリモートコントロール装置１０とが追加されている。
【００５３】
図３において、赤外線通信部７は被制御機器９をリモートコントロールするリモートコントロール赤外線信号を赤外線信号ａとして発光し、リモートコントロール装置１０は被制御機器９をリモートコントロールするリモートコントロール赤外線信号を赤外線信号ｂとして発光する。赤外線通信部７は、制御部２より出力されるリモートコントロール赤外線信号を赤外線信号ａとして発光する送信機能と、リモートコントロール装置１０から発光される赤外線信号ｂより被制御機器９のリモートコントロール制御命令を認識する受信機能とを有する。被制御機器９のリモートコントロール制御命令データをリモートコントロール制御命令データメモリ部１に記憶する時、利用者は、記憶する被制御機器９のリモートコントロール制御命令データをリモートコントロール装置１０から赤外線信号ｂとして発光する。記憶する被制御機器９のリモートコントロール制御命令データは、赤外線通信部７および制御部２を介して、リモートコントロール制御命令データメモリ部１へ記憶される。
【００５４】
ここで操作部３と表示部４に代えて、操作部３の機能と表示部４の機能の両機能を有するタッチパネル部を備えると、被制御機器のリモートコントロール制御命令を表示する機能と操作する機能とが統一され、被制御機器のリモートコントロール制御命令の表示および操作が容易となる。
【００５５】
また、利用者が複数の被制御機器のリモートコントロール制御命令を選択して実行する場合、利用者は、表示部４に従い、操作部３、制御部２を介して、メモリ部５またはリモートコントロール制御命令データメモリ部１に複数の被制御機器のリモートコントロール制御命令を予め記憶する。このような携帯情報端末装置において記憶した複数のリモートコントロール制御命令を実行すると、被制御機器は、赤外線通信部７より発光されるリモートコントロール赤外線信号ａを認識できる程度の時間間隔で順次、予め記憶した複数の制御命令を実行する。
【００５６】
以上のように本実施の形態によれば、予め記憶する複数の被制御機器の複数のリモートコントロール制御命令を被制御機器９のリモートコントロール装置１０を用いて容易に記憶できる携帯情報端末装置を実現することができる。また、タッチパネル部により、更に容易に被制御機器のリモートコントロール制御命令の表示および操作を行うことができる携帯情報端末装置を実現することができる。さらに、赤外線通信部７から、リモートコントロール赤外線信号ａを認識できる程度の時間間隔で順次発光することにより、複数の選択された被制御機器のリモートコントロール制御命令を更に容易に実行できる携帯情報端末装置を実現することができる。
【００５７】
（実施の形態５）
図４は、本発明の実施の形態５による携帯情報端末装置を示すブロック図である。
【００５８】
図４に示す構成においては、図３の構成に対して、利用者が任意に選択した複数の被制御機器をリモートコントロールする複数のリモートコントロール制御命令を操作して実行する操作部３とは別に設けた任意設定操作部１１と、制御部２やその他のブロック３〜７とは個別に動作し、任意設定操作部１１の操作によって、リモートコントロール制御命令データメモリ部１において予め記憶された被制御機器のリモートコントロール制御命令データを赤外線通信部７へ出力するリモートコントロール制御部１２と、携帯情報端末装置に電力供給する電源部１３とを追加したものである。
【００５９】
このように構成された携帯情報端末装置について動作等を説明する。
【００６０】
被制御機器９のリモートコントロール制御を行う利用者は、利用者が通常良く使用する複数の被制御機器をリモートコントロールする複数のリモートコントロール制御命令を任意に選択し、リモートコントロール制御命令データメモリ部１に記憶する。この時、記憶される各リモートコントロール制御命令毎に任意設定操作部１１も合わせて登録し、リモートコントロール制御命令データメモリ部１に記憶されるリモートコントロール制御命令と任意設定操作部１１の制御実行のための操作とは連携するように構成する。ここで、任意設定操作部１１に連携して登録された被制御機器のリモートコントロール制御命令を利用者に認識させるために表示可能にしておくのも有効である。リモートコントロール制御部１２は、携帯情報端末装置の稼動状況にかかわらず、利用者が任意設定操作部１１において制御実行のための操作（制御実行操作）をすると、任意設定操作部１１に連携した被制御機器のリモートコントロール制御命令をリモートコントロール制御命令データメモリ部１より取り出し、リモートコントロール赤外線信号として赤外線通信部７へ出力する。被制御機器は、赤外線通信部７より発光された赤外線信号ａにより制御される。ここで、電源部１３は、リモートコントロール制御命令データメモリ部１、赤外線通信部７、任意設定操作部１１、リモートコントロール制御部１１へ個別に電力供給しており、任意設定操作部１１による制御実行操作は、携帯情報端末装置の稼動状況にかかわらず行われる。
【００６１】
図５（ａ）、（ｂ）は携帯情報端末装置のイメージを示す斜視図である。図５（ａ）は動作状態にある携帯情報端末装置を示し、図５（ｂ）は未動作状態にある携帯情報端末装置を示す。動作時は、図５（ａ）の携帯情報端末装置として、携帯情報端末装置の機能と併せて、被制御機器のリモートコントロール制御命令も実行できる。また、図５（ｂ）の未動作時の携帯情報端末装置１７であっても、携帯情報端末装置の機能とは別に、任意設定操作部１１によって、被制御機器のリモートコントロール制御命令も実行できる。
【００６２】
ここで、外部インタフェース部６に接続され、被制御機器９のリモートコントロール制御命令を記録している外部メモリ部８を用いることによって、利用者は、利用者に必要な被制御機器のリモートコントロール制御命令を、携帯情報端末装置に任意に記憶することができる。
【００６３】
また、外部インタフェース部６に設けられた回線部または外部インタフェース部６に拡張して接続された通信制御部を用いることによって、携帯情報端末装置が公衆回線やインターネットを利用できるようにする。この時、利用者は、利用者に必要な被制御機器のリモートコントロール制御命令を、公衆回線やインターネットを介して、携帯情報端末装置に任意に記憶することができる。
【００６４】
また、利用者が被制御機器の複数のリモートコントロール制御命令を選択して実行する場合、利用者は、任意設定操作部１１、リモートコントロール制御部１２を介してメモリ部５またはリモートコントロール制御命令データメモリ部１に被制御機器の複数のリモートコントロール制御命令を一時記憶する。この記憶した複数のリモートコントロール制御命令を実行すると、リモートコントロール制御部１２は、赤外線通信部７から発光されるリモートコントロール赤外線信号ａを被制御機器が認識できる程度の時間間隔で順次、一時記憶した複数のリモートコントロール制御命令を実行する。
【００６５】
図４において、赤外線通信部７は、リモートコントロール制御部１２より出力されるリモートコントロール赤外線信号を赤外線信号ａとして発光する送信機能と、被制御機器９のリモートコントロール装置１０から発光されるリモートコントロール赤外線信号ｂを被制御機器９のリモートコントロール制御命令として認識する受信機能とを有する。被制御機器のリモートコントロール制御命令データをリモートコントロール制御命令データメモリ部１に記憶する時、利用者は、記憶するリモートコントロール制御命令データを被制御機器９のリモートコントロール装置１０から赤外線信号ｂとして発光する。記憶する被制御機器のリモートコントロール制御命令データは、赤外線通信部７およびリモートコントロール制御部１２を介して、リモートコントロール制御命令データメモリ部１へ記憶される。
【００６６】
また、利用者が被制御機器の複数のリモートコントロール制御命令を選択して実行する場合、利用者は、任意設定操作部１１、リモートコントロール制御部１２を介して、メモリ部５またはリモートコントロール制御命令データメモリ部１に被制御機器の複数のリモートコントロール制御命令を一時記憶する。この記憶した複数のリモートコントロール制御命令を実行すると、リモートコントロール制御部１２は、赤外線通信部７より発光されるリモートコントロール赤外線信号ａを被制御機器が認識できる程度の時間間隔で順次、一時記憶した複数のリモートコントロール制御命令を実行する。
【００６７】
以上のように本実施の形態によれば、任意設定が可能な任意設定操作部１１と、任意設定操作部１１からの入力データに基づいて動作するリモートコントロール制御部１２とを備え、リモートコントロール制御部１２は、携帯情報端末装置の稼動状況にかかわらず、任意設定操作部１１によって選択された被制御機器９に対するリモートコントロール制御命令データを赤外線通信部７を介して送信することにより、携帯情報端末装置自体が未動作状態（電源は入っているが、携帯情報端末装置として動作していない状態）であっても、リモートコントロール制御部１２は動作しているので、選択された被制御機器９のリモートコントロール制御命令を実行することができる。
【００６８】
また、外部インタフェース部６に接続された外部メモリ部８を備え、制御部２は、予め記憶する被制御機器９に対するリモートコントロール制御命令データを外部メモリ部８より読み込むことにより、携帯情報端末装置が未動作状態であっても、選択された被制御機器９のリモートコントロール制御命令を実行することができ、また、複数の被制御機器に対する複数のリモートコントロール制御命令データを外部メモリ部８に予め記憶し、必要に応じて読み出すことができる。
【００６９】
さらに、外部機器と通信を行うための回線部を外部インタフェース部６に有するか、または外部機器と通信を行うための通信制御部を外部インタフェース部６に接続し、制御部２は、被制御機器９に対するリモートコントロール制御命令データを、公衆回線やインターネットおよび回線部または通信制御部を介して、外部機器から読み込むことにより、複数の被制御機器９に対する複数のリモートコントロール制御命令データを外部インタフェース部６を介して読み込み、リモートコントロール制御命令データメモリ部１またはメモリ部５に予め記憶することができる。
【００７０】
さらに、制御部２は、複数の選択された被制御機器に対するリモートコントロール制御命令データを一時的にリモートコントロール制御命令データメモリ部１またはメモリ部５に格納し、複数の選択されたリモートコントロール制御命令を一定時間間隔で順次実行することにより、複数の選択された被制御機器に対するリモートコントロール制御命令を容易に実行することができる。
【００７１】
さらに、リモートコントロール制御部１２は、携帯情報端末装置の稼動状況にかかわらず、任意設定操作部１１によって選択された被制御機器に対するリモートコントロール制御命令データを赤外線通信部７を介して送信すると共にリモートコントロール装置１０からのリモートコントロール赤外線信号を赤外線通信部７を介して受信することにより、携帯情報端末装置自体が未動作状態であっても、リモートコントロール制御部１２は動作しているので、選択された被制御機器のリモートコントロール制御命令を実行することができ、また、リモートコントロール装置１０からのリモートコントロール制御命令を受信して記憶することができる。
【００７２】
さらに、リモートコントロール制御部は、複数の選択された被制御機器に対するリモートコントロール制御命令データを一時的にリモートコントロール制御命令データメモリ部１またはメモリ部５に格納し、複数の選択されたリモートコントロール制御命令を一定時間間隔で順次実行することにより、複数の選択された被制御機器に対するリモートコントロール制御命令を容易に実行することができる。
【００７３】
【発明の効果】
以上説明したように本発明の請求項１に記載の携帯情報端末装置によれば、リモートコントロールされる複数の被制御機器に対する複数のリモートコントロール制御命令データを記憶するリモートコントロール制御命令データメモリ部と、全体制御や外部機器の制御を行うと共にリモートコントロール制御命令データメモリ部において予め記憶された複数の被制御機器に対する複数のリモートコントロール制御命令データのうち選択したリモートコントロール制御命令データをリモートコントロール赤外線信号に変換して出力する制御部と、データ入力のための操作を行う操作部と、携帯情報端末装置の状態や情報を表示すると共にリモートコントロール制御命令データメモリ部に記憶したリモートコントロール制御命令データを表示する表示部と、携帯情報端末装置の動作に必要な装置動作用情報を格納したメモリ部と、回線や外部機器との接続を行う外部インタフェース部と、制御部より出力されたリモートコントロール赤外線信号に基づいて発光して被制御機器の制御を行う赤外線通信部とを有し、制御部は、予め複数の被制御機器に対する複数のリモートコントロール制御命令データをリモートコントロール制御命令データメモリ部に記憶させ、記憶されたリモートコントロール制御命令データを表示部に表示させ、変換して得られたリモートコントロール赤外線信号を赤外線通信部に出力して発光させることにより、リモートコントロール制御命令データメモリ部において予め記憶された複数の被制御機器に対する複数のリモートコントロール制御命令のうち選択したリモートコントロール制御命令に基づいて任意に選択した被制御機器を制御することができるという有利な効果が得られる。
【００７４】
請求項２に記載の携帯情報端末装置によれば、請求項１に記載の携帯情報端末装置において、操作部と表示部とに代えて、操作部の機能と表示部の機能とを有するタッチパネル部を備えたことにより、操作部の機能と表示部の機能とが一体化されているので、被制御機器のリモートコントロール制御命令の表示および被制御機器の制御操作を容易に行うことができるという有利な効果が得られる。
【００７５】
請求項３に記載の携帯情報端末装置によれば、請求項１または２に記載の携帯情報端末装置において、外部インタフェース部に接続された外部メモリ部を備え、制御部は、予め記憶する被制御機器に対するリモートコントロール制御命令データを外部メモリ部から読み込むことにより、複数の被制御機器に対する複数のリモートコントロール制御命令データを外部メモリ部に容易に予め記憶することができるという有利な効果が得られる。
【００７６】
請求項４に記載の携帯情報端末装置によれば、請求項１または２に記載の携帯情報端末装置において、外部機器と通信を行うための回線部を外部インタフェース部に有するか、または外部機器と通信を行うための通信制御部を外部インタフェース部に接続し、制御部は、被制御機器に対するリモートコントロール制御命令データを、公衆回線やインターネットおよび回線部または通信制御部を介して、外部機器から読み込むことにより、複数の被制御機器に対する複数のリモートコントロール制御命令データを外部インタフェース部を介して読み込み、リモートコントロール制御命令データメモリ部またはメモリ部に予め記憶することができるという有利な効果が得られる。
【００７７】
請求項５に記載の携帯情報端末装置によれば、請求項１または２に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することにより、複数の選択された被制御機器に対するリモートコントロール制御命令を容易に実行することができるという有利な効果が得られる。
【００７８】
請求項６に記載の携帯情報端末装置によれば、請求項１に記載の携帯情報端末装置において、赤外線通信部は送信機能と受信機能とを有し、制御部は、被制御機器に付属するリモートコントロール装置からのリモートコントロール赤外線信号を赤外線通信部において受信し、受信したリモートコントロール赤外線信号に基づくリモートコントロール制御命令データをリモートコントロール制御命令データメモリ部に記憶することにより、複数の被制御機器に対する複数のリモートコントロール制御命令データをリモートコントロール装置から読み込むことができるので、リモートコントロール制御命令をリモートコントロール装置を用いて容易に記憶させることができるという有利な効果が得られる。
【００７９】
請求項７に記載の携帯情報端末装置によれば、請求項６に記載の携帯情報端末装置において、操作部と表示部とに代えて、操作部の機能と表示部の機能とを有するタッチパネル部を備えたことにより、操作部の機能と表示部の機能とが一体化されているので、被制御機器のリモートコントロール制御命令の表示および被制御機器の制御操作を容易に行うことができ、リモートコントロール制御命令データをリモートコントロール装置を用いて記憶させることを更に容易に行うことができるという有利な効果が得られる。
【００８０】
請求項８に記載の携帯情報端末装置によれば、請求項６または７に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することにより、複数の選択された被制御機器に対するリモートコントロール制御命令を容易に実行することができるという有利な効果が得られる。
【００８１】
請求項９に記載の携帯情報端末装置によれば、請求項１に記載の携帯情報端末装置において、任意設定が可能な任意設定操作部と、任意設定操作部からの入力データに基づいて動作するリモートコントロール制御部とを備え、リモートコントロール制御部は、携帯情報端末装置の稼動状況にかかわらず、任意設定操作部によって選択された被制御機器に対するリモートコントロール制御命令データを赤外線通信部を介して送信することにより、携帯情報端末装置自体が未動作状態（電源は入っているが、携帯情報端末装置として動作していない状態）であっても、リモートコントロール制御部は動作しているので、選択された被制御機器のリモートコントロール制御命令を実行することができるという有利な効果が得られる。
【００８２】
請求項１０に記載の携帯情報端末装置によれば、請求項９に記載の携帯情報端末装置において、外部インタフェース部に接続された外部メモリ部を備え、制御部は、予め記憶する被制御機器に対するリモートコントロール制御命令データを外部メモリ部より読み込むことにより、携帯情報端末装置が未動作状態であっても、選択された被制御機器のリモートコントロール制御命令を実行することができ、また、複数の被制御機器に対する複数のリモートコントロール制御命令データを外部メモリ部に予め記憶し、必要に応じて読み出すことができるという有利な効果が得られる。
【００８３】
請求項１１に記載の携帯情報端末装置によれば、請求項９に記載の携帯情報端末装置において、外部機器と通信を行うための回線部を外部インタフェース部に有するか、または外部機器と通信を行うための通信制御部を外部インタフェース部に接続し、制御部は、被制御機器に対するリモートコントロール制御命令データを、公衆回線やインターネットおよび回線部または通信制御部を介して、外部機器から読み込むことにより、複数の被制御機器に対する複数のリモートコントロール制御命令データを外部インタフェース部を介して読み込み、リモートコントロール制御命令データメモリ部またはメモリ部に予め記憶することができるという有利な効果が得られる。
【００８４】
請求項１２に記載の携帯情報端末装置によれば、請求項９に記載の携帯情報端末装置において、制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することにより、複数の選択された被制御機器に対するリモートコントロール制御命令を容易に実行することができるという有利な効果が得られる。
【００８５】
請求項１３に記載の携帯情報端末装置によれば、請求項９に記載の携帯情報端末装置において、リモートコントロール制御部は、携帯情報端末装置の稼動状況にかかわらず、任意設定操作部によって選択された被制御機器に対するリモートコントロール制御命令データを赤外線通信部を介して送信すると共にリモートコントロール装置からのリモートコントロール赤外線信号を赤外線通信部を介して受信することにより、携帯情報端末装置自体が未動作状態であっても、リモートコントロール制御部は動作しているので、選択された被制御機器のリモートコントロール制御命令を実行することができ、また、リモートコントロール装置からのリモートコントロール制御命令を受信して記憶することができるという有利な効果が得られる。
【００８６】
請求項１４に記載の携帯情報端末装置によれば、請求項１３に記載の携帯情報端末装置において、リモートコントロール制御部は、複数の選択された被制御機器に対するリモートコントロール制御命令データを一時的にリモートコントロール制御命令データメモリ部またはメモリ部に格納し、複数の選択されたリモートコントロール制御命令を一定時間間隔で順次実行することにより、複数の選択された被制御機器に対するリモートコントロール制御命令を容易に実行することができるという有利な効果が得られる。
【図面の簡単な説明】
【図１】本発明の実施の形態１による携帯情報端末装置を示すブロック図
【図２】本発明の実施の形態２による携帯情報端末装置を示すブロック図
【図３】本発明の実施の形態４による携帯情報端末装置を示すブロック図
【図４】本発明の実施の形態５による携帯情報端末装置を示すブロック図
【図５】（ａ）携帯情報端末装置のイメージを示す斜視図
（ｂ）携帯情報端末装置のイメージを示す斜視図
【図６】従来の携帯情報端末装置を示すブロック図
【符号の説明】
１　リモートコントロール制御命令データメモリ部
２　制御部
３　操作部
４　表示部
５　メモリ部
６　外部インタフェース部（外部Ｉ／Ｆ部）
７　赤外線通信部
８　外部メモリ部
９　被制御機器
１０　リモートコントロール装置
１１　任意設定操作部
１２　リモートコントロール制御部
１３　電源部
【図１】
2004032240.tif 000003
【図２】
2004032240.tif 000004
【図３】
2004032240.tif 000005
【図４】
2004032240.tif 000006
【図５】
2004032240.tif 000007
【図６】
2004032240.tif 000008